(57)【要約】【課題】簡易で低コストな構成でありながら、良好な計測精度でガスなどの流体の流量値の計測が可能であり、気密性を損なう虞がなく、かつ防爆性を満たすことができる流体計測装置を実現する。【解決手段】光反射板１０４が、ロッド１０２の長手方向に対して光反射面が直交するようにロッド１０２の上端に設けられている。光源光学部材１０５から照射された光が受光光学部１０６へと至るまでの距離がロッド１０２の移動に伴った光反射板１０４の移動によって変化することで、受光光学部材１０６で受ける光の強度またはエネルギ密度が、光源光学部材１０５から照射された光が受光光学部へと至るまでの距離の二乗に比例して変化する。【選択図】      図１
2004354065.tif 000002
【特許請求の範囲】
【請求項１】
計測対象の流体の圧力に対応して表面に変動が生じるように設けられたダイヤフラムと、
前記ダイヤフラムの表面の変動に連動して長手方向に位置的な移動を生じるように設けられたロッドと、
前記ダイヤフラムおよび前記ロッドを内部に収容する、気密構造の外殻ボディーと、
前記ロッドの長手方向の一端に設けられて、前記ロッドの移動に伴って前記外殻ボディーの内部で位置が移動するように設定された光反射板と、
前記外殻ボディーに固定的に配置され、前記光反射板に対して所定の光源光を照射させる光源光学部材と、
前記光源光学部材から照射されて前記光反射板で反射された光を受けるように、前記外殻ボディーに固定的に配置された受光光学部材と
を有して、前記光源光学部材から照射された光が前記受光光学部へと至るまでの距離が前記ロッドの移動に伴った前記光反射板の移動によって変化することで、前記受光光学部材で受ける光の強度またはエネルギー密度が変化するように設定されている光学的読取部と、
前記光源光学部材に対して導光部材を介して前記光源光を供給する光源部と、
前記受光光学部材で受けた光を導光部材を介して受光する光センサと、
前記光センサで受光した光の強度またはエネルギー密度に対応して、前記計測対象の流体の流量値を演算する流体計測値演算部と
を備えたことを特徴とする流体計測装置。
【請求項２】
前記光反射板が、光を乱反射させるように設定されている
ことを特徴とする請求項１記載の流体計測装置。
【請求項３】
前記光反射板は、前記ロッドの長手方向に対して光反射面が直交するように、前記ロッドの一端に設けられたものであり、
前記受光光学部材は、前記光反射板に対して距離を隔てて正対して前記光源光を照射するように設けられたものである
ことを特徴とする請求項１または２記載の流体計測装置。
【請求項４】
計測対象の流体の圧力に対応して表面に変動が生じるように設けられたダイヤフラムと、
前記ダイヤフラムの表面の変動に連動して長手方向に位置的な移動を生じるように設けられたロッドと、
前記ダイヤフラムおよび前記ロッドを内部に収容する、気密構造の外殻ボディーと、
前記ロッドの移動に伴って前記外殻ボディーの内部で位置が移動するように前記ロッドに付設されており、前記ロッドの移動方向に沿って反射光の色相または波長が変化するように設定されている光反射部材と、
前記外殻ボディーの内部に固定的に配置され、所定位置に向けて光源光を照射させるように設定されている光源光学部材と、
前記光源光学部材から照射されて前記光反射部材で反射された光を受けるように、前記外殻ボディーに固定的に配置された受光光学部材と
を有して、前記光源光学部材から照射されて前記光反射部材で反射される光の色相または波長が前記ロッドの移動に伴った前記光反射部材の移動によって変化するように設定されている光学的読取部と、
前記光源光学部材に対して導光部材を介して前記光源光を供給する光源部と、
前記受光光学部材で受けた光を導光部材を介して受光する光センサと、
前記光センサで受光した光の色相または波長に対応して、前記計測対象の流体の流量値を演算する流体計測値演算部と
を備えたことを特徴とする流体計測装置。
【請求項５】
前記光反射部材は、前記ロッドの移動方向に沿って反射光の色相または波長が徐々に変化するグラデーションが印刷形成されているものである
ことを特徴とする請求項４記載の流体計測装置。
【請求項６】
前記グラデーションが印刷形成されている光反射部材は、前記ロッドの表面に貼設されているものである
ことを特徴とする請求項５記載の流体計測装置。
【請求項７】
計測対象の流体の圧力に対応して表面に変動が生じるように設けられたダイヤフラムと、
前記ダイヤフラムの表面の変動に連動して長手方向に位置的な移動を生じるように設けられたロッドと、
前記ダイヤフラムおよび前記ロッドを内部に収容する、気密構造の外殻ボディーと、
前記ロッドの移動に伴って前記外殻ボディーの内部で位置が移動するように前記ロッドに付設されており、前記ロッドの移動方向に沿って透過光の色相または波長が変化するように設定されている光透過部材と、
前記外殻ボディーの内部に固定的に配置され、所定位置に向けて光源光を照射させるように設定されている光源光学部材と、
前記光源光学部材から照射されて前記光透過部材を透過した光を受けるように、前記外殻ボディーに固定的に配置された受光光学部材と
を有して、前記光源光学部材から照射されて前記光透過部材を透過した光の色相または波長が前記ロッドの移動に伴った前記光透過部材の移動によって変化するように設定されている光学的読取部と、
前記光源光学部材に対して導光部材を介して前記光源光を供給する光源部と、
前記受光光学部材で受けた光を導光部材を介して受光する光センサと、
前記光センサで受光した光の色相または波長に対応して、前記計測対象の流体の流量値を演算する流体計測値演算部と
を備えたことを特徴とする流体計測装置。
【請求項８】
前記光透過部材は、前記光源光学部材から照射され当該光透過部材を透過して前記受光光学部材へと入射される透過光の色相または波長が前記ロッドの移動に伴って変化するように、前記ロッドに付設されたプリズムである
ことを特徴とする請求項７記載の流体計測装置。
【請求項９】
前記光透過部材は、前記光源光学部材から照射され当該光透過部材を透過して前記受光光学部材へと入射される透過光の色相または波長が前記ロッドの移動に伴って変化するように、前記ロッドに付設された回折格子である
ことを特徴とする請求項７記載の流体計測装置。
【請求項１０】
計測対象の流体の圧力に対応して表面に変動が生じるように設けられたダイヤフラムと、
前記ダイヤフラムの表面の変動に連動して長手方向に位置的な移動を生じるように設けられたロッドと、
前記ダイヤフラムおよび前記ロッドを内部に収容する、気密構造の外殻ボディーと、
前記ロッドの移動に伴って前記外殻ボディーの内部で位置が移動するように前記ロッドに付設されており、前記ロッドの移動方向に沿って反射光の濃淡または反射強度が変化するように設定されている光反射部材と、
前記外殻ボディーの内部に固定的に配置され、所定位置に向けて光源光を照射させるように設定されている光源光学部材と、
前記光源光学部材から照射されて前記光反射部材で反射された光を受けるように、前記外殻ボディーに固定的に配置された受光光学部材と
を有して、前記光源光学部材から照射されて前記光反射部材で反射される光の濃淡または反射強度が前記ロッドの移動に伴った前記光反射部材の移動によって変化するように設定されている光学的読取部と、
前記光源光学部材に対して導光部材を介して前記光源光を供給する光源部と、
前記受光光学部材で受けた光を導光部材を介して受光する光センサと、
前記光センサで受光した光の濃淡または強度に対応して、前記計測対象の流体の流量値を演算する流体計測値演算部と
を備えたことを特徴とする流体計測装置。
【請求項１１】
前記光反射部材は、前記ロッドの移動方向に沿って反射光の濃淡または反射強度が徐々に変化するグラデーションが印刷形成されているものである
ことを特徴とする請求項１０記載の流体計測装置。
【請求項１２】
前記グラデーションが印刷形成されている光反射部材は、前記ロッドの表面に貼設されているものである
ことを特徴とする請求項１０記載の流体計測装置。
【請求項１３】
前記受光光学部材または前記光源光学部材のうち少なくとも前記受光光学部材が固定されており、かつ前記外殻ボディーに対して着脱可能な構造のプラグ部材と、
前記プラグ部材と前記外殻ボディーとの間に介挿されて前記外殻ボディーの気密性を保ち、かつ前記受光光学部材に対して前記外殻ボディーの内部からの光を到達できるようにする窓部が設けられている密封蓋部材とを、さらに備えており、
前記外殻ボディーの内部の気密性を損なうことなく前記プラグ部材を前記外殻ボディーから着脱可能とした
ことを特徴とする請求項１ないし１２のうち少なくともいずれか一つの項に記載の流体計測装置。
【請求項１４】
計測対象の流体の圧力に対応して表面に変動が生じるように設けられたダイヤフラムの表面の変動に連動して長手方向に位置的な移動を生じるように設けられたロッドの長手方向の一端に設けられて、前記ロッドの移動に伴って位置が移動するように設定された光反射板と、
前記外殻ボディーに固定的に配置され、前記光反射板に対して所定の光源光を照射させる光源光学部材と、
前記光源光学部材から照射されて前記光反射板で反射された光を受けるように、前記外殻ボディーに固定的に配置された受光光学部材と
を備えて、前記光源光学部材から照射された光が前記受光光学部へと至るまでの距離が前記ロッドの移動に伴った前記光反射板の移動によって変化することで、前記受光光学部材で受ける光の強度またはエネルギー密度が変化するように設定されていることを特徴とする光学的読取部品。
【請求項１５】
前記光反射板が、光を乱反射させるように設定されている
ことを特徴とする請求項１４記載の光学的読取部品。
【請求項１６】
前記光反射板は、前記ロッドの長手方向に対して光反射面が直交するように、前記ロッドの一端に設けられたものであり、
前記受光光学部材は、前記光反射板に対して距離を隔てて正対して前記光源光を照射するように設けられたものである
ことを特徴とする請求項１４または１５記載の光学的読取部品。
【請求項１７】
計測対象の流体の圧力に対応して表面に変動が生じるように設けられたダイヤフラムの表面の変動に連動して長手方向に位置的な移動を生じるように設けられたロッドの移動に伴って位置が移動するように前記ロッドに付設されており、前記ロッドの移動方向に沿って反射光の色相または波長が変化するように設定されている光反射部材と、
固定位置に配置され、所定位置に向けて光源光を照射させるように設定されている光源光学部材と、
前記光源光学部材から照射されて前記光反射部材で反射された光を受けるように、固定位置に配置された受光光学部材と
を備えて、前記光源光学部材から照射されて前記光反射部材で反射される光の色相または波長が前記ロッドの移動に伴った前記光反射部材の移動によって変化するように設定されていることを特徴とする光学的読取部品。
【請求項１８】
前記光反射部材は、前記ロッドの移動方向に沿って反射光の色相または波長が徐々に変化するグラデーションが印刷形成されているものである
ことを特徴とする請求項１７記載の光学的読取部品。
【請求項１９】
前記グラデーションが印刷形成されている光反射部材は、前記ロッドの表面に貼設されているものである
ことを特徴とする請求項１８記載の光学的読取部品。
【請求項２０】
計測対象の流体の圧力に対応して表面に変動が生じるように設けられたダイヤフラムの表面の変動に連動して長手方向に位置的な移動を生じるように設けられたロッドの移動に伴って位置が移動するように前記ロッドに付設されており、前記ロッドの移動方向に沿って透過光の色相または波長が変化するように設定されている光透過部材と、
固定位置に配置され、所定位置に向けて光源光を照射させるように設定されている光源光学部材と、
前記光源光学部材から照射されて前記光透過部材を透過した光を受けるように、固定位置に配置された受光光学部材と
を備えて、前記光源光学部材から照射されて前記光透過部材を透過した光の色相または波長が前記ロッドの移動に伴った前記光透過部材の移動によって変化するように設定されていることを特徴とする光学的読取部品。
【請求項２１】
前記光透過部材は、前記光源光学部材から照射され当該光透過部材を透過して前記受光光学部材へと入射される透過光の色相または波長が前記ロッドの移動に伴って変化するように、前記ロッドに付設されたプリズムである
ことを特徴とする請求項２０記載の光学的読取部品。
【請求項２２】
前記光透過部材は、前記光源光学部材から照射され当該光透過部材を透過して前記受光光学部材へと入射される透過光の色相または波長が前記ロッドの移動に伴って変化するように、前記ロッドに付設された回折格子である
ことを特徴とする請求項２０記載の光学的読取部品。
【請求項２３】
計測対象の流体の圧力に対応して表面に変動が生じるように設けられたダイヤフラムの表面の変動に連動して長手方向に位置的な移動を生じるように設けられたロッドの移動に伴って位置が移動するように前記ロッドに付設されており、前記ロッドの移動方向に沿って反射光の濃淡または反射強度が変化するように設定されている光反射部材と、
固定位置に配置され、所定位置に向けて光源光を照射させるように設定されている光源光学部材と、
前記光源光学部材から照射されて前記光反射部材で反射された光を受けるように、固定位置に配置された受光光学部材と
を備えて、前記光源光学部材から照射されて前記光反射部材で反射される光の濃淡または反射強度が前記ロッドの移動に伴った前記光反射部材の移動によって変化するように設定されていることを特徴とする光学的読取部品。
【請求項２４】
前記光反射部材は、前記ロッドの移動方向に沿って反射光の濃淡または反射強度が徐々に変化するグラデーションが印刷形成されているものである
ことを特徴とする請求項２３記載の光学的読取部品。
【請求項２５】
前記グラデーションが印刷形成されている光反射部材は、前記ロッドの表面に貼設されているものである
ことを特徴とする請求項２４記載の光学的読取部品。
【発明の詳細な説明】
【０００１】
【発明の属する技術分野】
本発明は、例えばガス配給網の要所ごとに配設されるガバナに付設される、流体計測装置およびそれに用いられる光学的読取部品に関する。
【０００２】
【従来の技術】
一般家庭や飲食業店舗などに、いわゆる都市ガスのような可燃性のガスを供給するガス配給網では、ガスの供給圧力を調節するために、ガバナと呼ばれる整圧器が、例えば中圧配管から低圧配管へと分岐する要所ごとなどに配設されている。ガバナとしては、例えばレイノルド式ガバナに代表されるような構造のものが、いわゆる地区ガバナとして利用されている。
【０００３】
現在、地区ガバナのなかには、供給中のガスの圧力を目視にて計測するためのガバナ開度計測装置が設けられているものがある。そのようなガバナ開度計測装置は、図１４に一例を示したように、一定の１次圧力と２次圧力（下流へと供給されるガスの圧力）との差に対応して上下動するように設けられたダイヤフラム１０１と、そのダイヤフラム１０１の上下動に連動して上下動するように設けられたロッド１０２と、ガバナ開度値を示す目盛が設けられた目盛板５０２を有するトラベルインジケータ５０１とを備えている。そして上下動するロッド１０２の先端の位置に対応した目盛板５０２の目盛を目視にて読み取ることによって、供給されるガバナ開度値を計測することができるように設定されている。
【０００４】
あるいは、目視にてガバナ開度値を読み取るのではなく、自動的に（電気的および光学的に）計測する発明が、例えば特許文献１にて提案されている。この発明によるガバナ開度計測装置では、図１５に示したように、ロッド１０２の上下動と同方向に複数のスリットが列設された開度計１５０がロッド１０２の先端に接続されている。そしてロッド１０２の上下動に伴って、開度計１５０のスリット１５１が、光源１５４から出射された光を遮ったり通過させたりすることで、その光を受けた光センサ１５５から信号が出力され、その信号に基づいて圧力の計測値を演算することができるように設定されている。さらに具体的には、予め設定された初期値（零点）からのロッド１０２の上下方向の移動に応じて開度計１５０が動くことで、光源１５４と光センサ１５５との間の光を開度計１５０のスリット１５１が横切るので、その横切った回数をカウントすることによってガバナ開度を計測することができる。なお、図１４では、ガバナ開度計測装置が設けられているガバナの本体の部分については図示を省略している。
【０００５】
ところで、各地区ガバナにおけるガスの流量値を把握することは、ガスの供給製造計画や工事検討などを目的とする配給網における流量解析で必要な各消費点データとして利用価値が高いが、今後の託送検討や余力検討を、より精確に行うためには、ますますその重要性が高まって行くことが想定される。
【０００６】
このため、ガス配給網における、できるだけ多くの地区ガバナにおけるガスの流量値を所定の精度で自動的に把握することが、今後ますます強く要請されることとなる。
【０００７】
そのような要請に対応するためには、既設・新設を問わず、設置工程あるいは新設工程や、装置あるいは部品を含んで、低コストで信頼性が高く、計測精度が良好でメンテナンスが簡便な流量計測装置の必要性が、ますます高いものとなってきている。
【０００８】
【特許文献１】
特開２０００−１８９８６号公報（発明の詳細な説明全体）
【０００９】
【発明が解決しようとする課題】
しかしながら、既存のガバナ開度計測装置では、図１４に一例を示したように、目視にてガバナ開度を計測するものであるため、その計測された開度に基づいて流量値を自動的に計測することなどは不可能である。また、開度とガバナでの圧力値とが対応関係にあるものの場合には、開度から圧力値を計測することなども可能であると考えられるが、そのような場合でも、目視にてガバナ開度を計測するものである以上、自動的な計測はやはり不可能である。
【００１０】
また、特許文献１にて提案されているような自動的に計測を行うことができるガバナ開度計測装置では、ガバナ本体の気密空間から外部へと密封蓋部材１５２を貫通してロッド１０２を突出させて、その先端に開度計１５０を設けているので、そのロッド１０２を外部へと突出させるための透孔とロッド１０２の表面との隙間からガスが漏洩する（気密性が損なわれる）ことを防ぐ気密機能とロッド１０２の上下動を妨害しない滑動機能とを兼備した、何らかの気密手段を設けることが必要となる。
【００１１】
そのような気密手段としては、例えばシリコーンゴム製あるいは合成樹脂製のいわゆるＯリング１５３が用いられるが、Ｏリング１５３は一般に、所定の必要十分な気密性を長期に亘って保持することは困難であるため、気密性保持の点で問題がある。あるいは、このＯリング１５３を長期に亘って気密性保持可能な材質からなるものにしたり、気密性の保持をより確実なものとしたりするためにロッド１０２の表面に対して強く押し当てるような設定にすると、ロッド１０２の上下動が妨害されてしまって、正確な計測ができなくなるという問題がある。
【００１２】
また、特許文献１にて提案されているような、スリット１５１が設けられた開度計１５０を直接的にロッド１０２の先端に取り付けた構造では、ガスの圧力の変化に対応したロッド１０２の移動量がダイヤフラム１０１の移動量と高々１対１（等倍）であるから、十分な計測精度を得ることが困難であるという不都合がある。このような不都合を克服するためには、例えばロッド１０２の先端に梃装置（図示省略）を付設して、ロッド１０２の上下動の大きさを梃の原理で増幅させるようにすることなども考えられる。そのようにすれば、ダイヤフラム１０１の移動量を増幅してスリット１５１の動きに伝達させることができるので、十分な計測精度を得ることが可能となる。
【００１３】
ところが、そのような梃装置を付設しても、前述のような気密性保持の問題については全く解消されない。また、梃装置を付設することで、計測のための機構が繁雑化することになり、延いては低コスト化の妨げとなるばかりでなく、長期間に亘っての無故障・メンテナンスフリー性が低下するという新たな問題が生じる虞もある。特に地区ガバナは、ガス配給網における例えば４０００か所のような極めて多数の地点に設置されているので、そのような極めて多数のガバナの一つ一つに対して繁雑な機構を設けることは、そのための装置の新設や改造に要する全体的な工程の煩雑化を生じることとなり、延いてはそのための総コストが極めて高価なものとなる。しかも、そのように極めて多数のガバナの一つ一つについての無故障・メンテナンスフリー性が低いと、頻繁に故障やメンテナンスを行わなければならなくなってしまうという問題がある。
【００１４】
また、都市ガスという可燃性の流体を取り扱うガバナは、一般に、ガバナボックスと呼ばれるような気密性の筐体中に設置されており、少なくともそのガバナボックス内に収容される装置や部品には、防爆性が要求される。従って、例えばＣＣＤ光センサやそれに付属している電気配線のような、発火原因となるスパーク（火花放電）等を生じる可能性のあるものは、ガバナに付設することができないという制約がある。このような都市ガスという可燃性の流体を取り扱うガバナとしての特殊な制約があるため、例えば一般的な超音波伝播方式の流量計測装置などのような電気的な流体計測装置を用いることはできないので、それと代替可能な、防爆性を有しておりかつ上記のように簡易で低コストな計測装置または計測用部品を用いることが要請されるが、そのような技術は、従来は提案されていなかった。
【００１５】
また、図１４に示したような目視にて供給圧力を計測するように設定された、既存のガバナ開度計測装置が設置されている場合には、その装置の全体を新規のものに取り替えることは、その工程が煩雑化することやコスト高になるという不都合があるので望ましくない。このため、既存のガバナ開度計測装置の一部分を改造することで自動的な流量計測が可能となるようにすることが要請される。ところが、そのような改造方法は、従来は提案されていなかった。あるいは上記の特許文献１号公報にて提案されているようなスリット１５１が設けられた開度計１５０をロッド１０２の先端に取り付ける、といった改造方法も考えられるが、そのような改造によって得られるのは、特許文献１号公報にて提案されているようなガバナ開度計測装置であるから、それでは十分な計測精度を得ることはできないことは、既述した通りである。
【００１６】
本発明はかかる問題点に鑑みてなされたもので、その目的は、簡易で低コストな構成でありながら、良好な計測精度でガスなどの流体の流量値や圧力値の計測が可能であり、気密性を損なう虞がなく、かつガバナに付設される装置として要求される防爆性を満たすことができる流体計測装置およびそれに用いられる光学的読取部品を提供することにある。
【００１７】
【課題を解決するための手段】
本発明による第１の流体計測装置は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムおよび前記ロッドを内部に収容する、気密構造の外殻ボディーと、前記ロッドの長手方向の一端に設けられて、前記ロッドの移動に伴って前記外殻ボディーの内部で位置が移動するように設定された光反射板と、前記外殻ボディーの内部に固定的に配置され、前記光反射板に対して所定の光源光を照射させる光源光学部材と、前記光源光学部材から照射されて前記光反射板で反射された光を受けるように、前記外殻ボディーに固定的に配置された受光光学部材とを有して、前記光源光学部材から照射された光が前記受光光学部へと至るまでの距離が前記ロッドの移動に伴った前記光反射板の移動によって変化することで、前記受光光学部材で受ける光の強度またはエネルギー密度が変化するように設定されている光学的読取部と、前記光源光学部材に対して導光部材を介して前記光源光を供給する光源部と、前記受光光学部材で受けた光を導光部材を介して受光する光センサと、前記光センサで受光した光の強度またはエネルギー密度に対応して、前記計測対象の流体の流量値を演算する流体計測値演算部とを備えている。
【００１８】
また、本発明による第１の光学的読取部品は、上記の流体計測装置における光学的読取部の主要部として用いられるものである。
【００１９】
本発明による第１の流体計測装置または光学的読取部品では、光源光学部材から照射された光が受光光学部へと至るまでの距離がロッドの移動に伴った光反射板の移動によって変化することで、受光光学部材で受ける光の強度またはエネルギー密度が変化するように設定されているので、その光の強度またはエネルギー密度に基づいて、計測対象の流体の流量値を演算して得ることが可能となる。
【００２０】
また、このような本発明による第１の流体計測装置または光学的読取部品の構造は極めて簡易なものであり、従ってまた故障の発生確率が少なく、低コストなものである。
【００２１】
また、上下動のような位置移動を行うロッドが外殻ボディーの内部に完全に密封されているので、従来の流体計測装置におけるロッドが外殻ボディーの外部へと突出しているような構造とは異なり、気密性を確保すると共にロッドの移動を妨げず、かつ長期に亘って気密を保持することができるという、互いに相反する特性を同時に満たすという極めて困難な課題が要請されるＯリングのような気密性保持部材等を用いる必要がない。
【００２２】
なお、上記の光反射板は、光を適度に乱反射させることで、光源光学部材から照射されて受光光学部へと至る光の強度またはエネルギー密度がロッドの移動距離の二乗に比例して変化することを、より確実なものとすることができるからである。但し、余りにも乱反射の度合いが高いと、その乱反射の光が外乱的に悪作用する虞もあるので、適度に乱反射するように設計することが望ましい。
【００２３】
また、上記の光反射板は、ロッドの長手方向に対して光反射面が直交するように、そのロッドの一端に設けられたものであり、受光光学部材は、光反射板に対して距離を隔てて正対して光源光を照射するように設けられたものであるようにすることが望ましい。このようにすることで構造が最も簡易でかつ計測性能も十分なものとすることができるからである。但し、これのみには限定されないことは言うまでもない。
【００２４】
本発明による第２の流体計測装置は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムおよび前記ロッドを内部に収容する、気密構造の外殻ボディーと、前記ロッドの移動に伴って前記外殻ボディーの内部で位置が移動するように前記ロッドに付設されており、前記ロッドの移動方向に沿って反射光の色相または波長が変化するように設定されている光反射部材と、前記外殻ボディーの内部に固定的に配置され、所定位置に向けて光源光を照射させるように設定されている光源光学部材と、前記光源光学部材から照射されて前記光反射部材で反射された光を受けるように、前記外殻ボディーに固定的に配置された受光光学部材とを有して、前記光源光学部材から照射されて前記光反射部材で反射される光の色相または波長が前記ロッドの移動に伴った前記光反射部材の移動によって変化するように設定されている光学的読取部と、前記光源光学部材に対して導光部材を介して前記光源光を供給する光源部と、前記受光光学部材で受けた光を導光部材を介して受光する光センサと、前記光センサで受光した光の色相または波長に対応して前記計測対象の流体の流量値を演算する流体計測値演算部とを備えている。
【００２５】
また、本発明による第２の光学的読取部品は、上記の流体計測装置における光学的読取部の主要部として用いられるものである。
【００２６】
本発明による第２の流体計測装置または第２の光学的読取部品では、光源光学部材から照射されて光反射部材で反射される光の色相または波長がロッドの移動に伴った光反射部材の移動によって変化するように設定されているので、その光の色相または波長に基づいて、計測対象の流体の流量値を演算して得ることが可能となる。
【００２７】
また、このような本発明による第２の流体計測装置または光学的読取部品の構造は極めて簡易なものであり、従ってまた故障の発生確率が少なく、低コストなものである。
【００２８】
また、上下動のような位置移動を行うロッドが外殻ボディーの内部に完全に密封されているので、従来の流体計測装置におけるロッドが外殻ボディーの外部へと突出しているような構造とは異なり、気密性を確保すると共にロッドの移動を妨げず、かつ長期に亘って気密を保持することができるという、互いに相反する特性を同時に満たすという極めて困難な課題が要請されるＯリングのような気密性保持部材等を用いる必要がない。
【００２９】
なお、上記の光反射部材は、ロッドの移動方向に沿って反射光の色相または波長が徐々に変化するグラデーションが印刷形成されているものであるようにすることなどが可能である。このようにグラデーションを印刷形成することにより、極めて多数の光反射部材を印刷工程という量産技術によって簡易に低コストで作製することができる。
【００３０】
また、そのようなグラデーションを印刷形成してなる光反射部材は、ロッドの表面に貼設されるものとすることなども望ましい。このようにすることにより、極めて簡易な工程で光反射部材をロッドに付設することが可能となる。
【００３１】
本発明による第３の流体計測装置は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムおよび前記ロッドを内部に収容する、気密構造の外殻ボディーと、前記ロッドの移動に伴って前記外殻ボディーの内部で位置が移動するように前記ロッドに付設されており、前記ロッドの移動方向に沿って透過光の色相または波長が変化するように設定されている光透過部材と、前記外殻ボディーの内部に固定的に配置され、所定位置に向けて光源光を照射させるように設定されている光源光学部材と、前記光源光学部材から照射されて前記光透過部材を透過した光を受けるように、前記外殻ボディーに固定的に配置された受光光学部材とを有して、前記光源光学部材から照射されて前記光透過部材を透過した光の色相または波長が前記ロッドの移動に伴った前記光透過部材の移動によって変化するように設定されている光学的読取部と、前記光源光学部材に対して導光部材を介して前記光源光を供給する光源部と、前記受光光学部材で受けた光を導光部材を介して受光する光センサと、前記光センサで受光した光の色相または波長に対応して、前記計測対象の流体の流量値を演算する流体計測値演算部とを備えている。
【００３２】
また、本発明による第３の光学的読取部品は、上記の流体計測装置における光学的読取部の主要部として用いられるものである。
【００３３】
本発明による第３の流体計測装置または第３の光学的読取部品では、光源光学部材から照射されて光透過部材を透過した光の色相または波長がロッドの移動に伴った光透過部材の移動によって変化するように設定されているので、その光の色相または波長に基づいて、計測対象の流体の流量値を演算して得ることが可能となる。
【００３４】
また、このような本発明による第３の流体計測装置または光学的読取部品の構造は極めて簡易なものであり、従ってまた故障の発生確率が少なく、低コストなものである。
【００３５】
また、上下動のような位置移動を行うロッドが外殻ボディーの内部に完全に密封されているので、従来の流体計測装置におけるロッドが外殻ボディーの外部へと突出しているような構造とは異なり、気密性を確保すると共にロッドの移動を妨げず、かつ長期に亘って気密を保持することができるという、互いに相反する特性を同時に満たすという極めて困難な課題が要請されるＯリングのような気密性保持部材等を用いる必要がない。
【００３６】
なお、上記の光透過部材としては、光源光学部材から照射され当該光透過部材を透過して受光光学部材へと入射される透過光の色相または波長がロッドの移動に伴って変化するように、ロッドに付設されたプリズムであるようにしてもよい。
【００３７】
あるいは、上記の光透過部材としては、光源光学部材から照射され当該光透過部材を透過して受光光学部材へと入射される透過光の色相または波長がロッドの移動に伴って変化するように、ロッドに付設された回折格子であるようにすることなども可能である。
【００３８】
本発明による第４の流体計測装置は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムおよび前記ロッドを内部に収容する、気密構造の外殻ボディーと、前記ロッドの移動に伴って前記外殻ボディーの内部で位置が移動するように前記ロッドに付設されており、前記ロッドの移動方向に沿って反射光の濃淡または反射強度が変化するように設定されている光反射部材と、前記外殻ボディーの内部に固定的に配置され、所定位置に向けて光源光を照射させるように設定されている光源光学部材と、前記光源光学部材から照射されて前記光反射部材で反射された光を受けるように、前記外殻ボディーに固定的に配置された受光光学部材とを有して、前記光源光学部材から照射されて前記光反射部材で反射される光の濃淡または反射強度が前記ロッドの移動に伴った前記光反射部材の移動によって変化するように設定されている光学的読取部と、前記光源光学部材に対して導光部材を介して前記光源光を供給する光源部と、前記受光光学部材で受けた光を導光部材を介して受光する光センサと、前記光センサで受光した光の濃淡または強度に対応して、前記計測対象の流体の流量値を演算する流体計測値演算部とを備えている。
【００３９】
また、本発明による第４の光学的読取部品は、上記の流体計測装置における光学的読取部の主要部として用いられるものである。
【００４０】
本発明による第４の流体計測装置または第４の光学的読取部品では、光源光学部材から照射されて光反射部材で反射される光の濃淡または反射強度がロッドの移動に伴った光反射部材の移動によって変化するように設定されているので、その光の濃淡または反射強度に基づいて、計測対象の流体の流量値を演算して得ることが可能となる。
【００４１】
また、このような本発明による第４の流体計測装置または光学的読取部品の構造は極めて簡易なものであり、従ってまた故障の発生確率が少なく、低コストなものである。
【００４２】
また、上下動のような位置移動を行うロッドが外殻ボディーの内部に完全に密封されているので、従来の流体計測装置におけるロッドが外殻ボディーの外部へと突出しているような構造とは異なり、気密性を確保すると共にロッドの移動を妨げず、かつ長期に亘って気密を保持することができるという互いに相反する特性を同時に満たすという極めて困難な課題が要請されるＯリングのような気密性保持部材等を用いる必要がない。
【００４３】
なお、上記の光反射部材は、ロッドの移動方向に沿って反射光の濃淡または反射強度が徐々に変化するグラデーションが印刷形成されているものであるようにすることなどが可能である。このようにグラデーションを印刷形成することにより、極めて多数の光反射部材を印刷工程という量産技術によって簡易に低コストで作製することができる。
【００４４】
また、そのようなグラデーションを印刷形成してなる光反射部材は、ロッドの表面に貼設されるものとすることなども望ましい。このようにすることにより、極めて簡易な工程で光反射部材をロッドに付設することが可能となる。
【００４５】
ここで、前記受光光学部材または前記光源光学部材のうち少なくとも前記受光光学部材が固定されており、かつ前記外殻ボディーに対して着脱可能な構造のプラグ部材と、前記プラグ部材と前記外殻ボディーとの間に介挿されて前記外殻ボディーの気密性を保ち、かつ前記受光光学部材に対して前記外殻ボディーの内部からの光を到達できるようにする窓部が設けられている密封蓋部材とを、さらに備えるようにすることで、前記外殻ボディーの内部の気密性を損なうことなく前記プラグ部材を前記外殻ボディーから着脱可能とするようにしてもよい。
【００４６】
なお、上記の窓部は、例えばガラス板のような光透過性材料からなる板材を密封構造に作り込んだものとしてもよく、あるいは、窓にシャッター装置または開閉バルブが付設されたものとしてもよい。例えばプラグ部材を外殻ボディーから取り外す際などにシャッターまたはバルブを閉じた状態にすることによって、気密性を常に確保することが可能となる。
【００４７】
本発明による流体計測装置は、従来の目測式流体計測装置を改造することにより得ることができる。第１の目測式流体計測装置の改造方法は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムを内部に収容すると共に前記ロッドが内部から外部へと貫通して突出するように設けられた気密構造の外殻ボディーとを備えて、前記ロッドの移動した位置に対応して前記流体の流量または圧力を目測する目測式流体計測装置を、光学的自動読取機能付きの流体計測装置に改造するにあたり、前記ロッドが前記外殻ボディーの内部に収まるように前記ロッドまたは前記外殻ボディーを変更し、前記ロッドの長手方向の一端に、前記ロッドの移動に伴って前記外殻ボディーの内部で位置が移動するように設定された光反射板を設置し、前記光反射板に対して所定の光源光を照射させる光源光学部材を前記外殻ボディーの内部に固定的に配置し、前記光源光学部材から照射されて前記光反射板で反射された光を受けるように、前記外殻ボディーに固定的に受光光学部材を配置して、前記光源光学部材から照射された光が前記受光光学部へと至るまでの距離が前記ロッドの移動に伴った前記光反射板の移動によって変化することで、前記受光光学部材で受ける光の強度またはエネルギー密度が変化するように設定されている光学的読取部を設ける工程と、前記受光光学部材で受けた光を導光部材を介して受光する光センサを付設する工程と、前記光センサで受光した光の強度またはエネルギー密度に対応して、前記計測対象の流体の流量値を演算する流体計測値演算部を付設する工程とを含んでいる。
【００４８】
第１の目測式流体計測装置の改造方法では、上記のようにして外殻ボディーの内部にロッドが完全に収容されるように変更し、そのロッドの先端に光反射板を追加し、光源光学部材および受光光学部材を外殻ボディーの内部に固定的に配置するという簡易な工程だけで、良好な精度で自動読み取りを行うためのいわゆる防爆性を有する光学的読取部を低コストで設けることができる。
【００４９】
また、第２の目測式流体計測装置の改造方法は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムを内部に収容すると共に前記ロッドが内部から外部へと貫通して突出するように設けられた気密構造の外殻ボディーとを備えて、前記ロッドの移動した位置に対応して前記流体の流量または圧力を目測する目測式流体計測装置を、光学的自動読取機能付きの流体計測装置に改造するにあたり、前記ロッドが前記外殻ボディーの内部に収まるように前記ロッドまたは前記外殻ボディーを変更し、前記ロッドの長手方向の一端に、前記ロッドの移動方向に沿って反射光の色相または波長が変化するように設定されている光反射部材を設置し、前記光反射部材に対して所定の光源光を照射させる光源光学部材を前記外殻ボディーの内部に固定的に配置し、前記光源光学部材から照射されて前記光反射部材で反射された光を受けるように、前記外殻ボディーに固定的に受光光学部材を配置して、前記光源光学部材から照射されて前記光反射部材で反射される光の色相または波長が前記ロッドの移動に伴った前記光反射部材の移動によって変化することで、前記受光光学部材で受ける光の色相または波長が変化するように設定されている光学的読取部を設ける工程と、前記受光光学部材で受けた光を導光部材を介して受光する光センサを付設する工程と、前記光センサで受光した光の色相または波長に対応して、前記計測対象の流体の流量値を演算する流体計測値演算部を付設する工程とを含んでいる。
【００５０】
第２の目測式流体計測装置の改造方法では、上記のようにして外殻ボディーの内部にロッドが完全に収容されるように変更し、そのロッドの先端などにロッドの移動方向に沿って反射光の色相または波長が変化するように設定されている光反射部材を追加し、光源光学部材および受光光学部材を外殻ボディーの内部に固定的に配置するという簡易な工程だけで、良好な精度で自動読み取りを行うためのいわゆる防爆性を有する光学的読取部を、低コストで設けることができる。
【００５１】
第３の目測式流体計測装置の改造方法は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムを内部に収容すると共に前記ロッドが内部から外部へと貫通して突出するように設けられた気密構造の外殻ボディーとを備えて、前記ロッドの移動した位置に対応して前記流体の流量または圧力を目測する目測式流体計測装置を、光学的自動読取機能付きの流体計測装置に改造するにあたり、前記ロッドが前記外殻ボディーの内部に収まるように前記ロッドまたは前記外殻ボディーを変更し、前記ロッドの長手方向の一端に、前記ロッドの移動に伴って前記外殻ボディーの内部で位置が移動するように設定された光透過部材を設置し、前記透過部材に対して所定の光源光を照射させる光源光学部材を前記外殻ボディーの内部に固定的に配置し、前記光源光学部材から照射されて前記光透過部材で反射された光を受けるように、前記外殻ボディーに固定的に受光光学部材を配置して、前記光源光学部材から照射された光が前記受光光学部へと至るまでの距離が前記ロッドの移動に伴った前記光透過部材の移動によって変化することで、前記受光光学部材で受ける光の強度またはエネルギー密度もしくは色相または波長が変化するように設定されている光学的読取部を設ける工程と、前記受光光学部材で受けた光を導光部材を介して受光する光センサを付設する工程と、前記光センサで受光した光の強度またはエネルギー密度に対応して、前記計測対象の流体の流量値を演算する流体計測値演算部を付設する工程とを含んでいる。
【００５２】
第３の目測式流体計測装置の改造方法では、上記のようにして外殻ボディーの内部にロッドが完全に収容されるように変更し、そのロッドの先端などにロッどの移動によって受光光学部材で受ける光の強度またはエネルギー密度もしくは色相または波長が変化するように設定されている光透過部材を追加し、光源光学部材および受光光学部材を外殻ボディーの内部に固定的に配置するという簡易な工程だけで、良好な精度で自動読み取りを行うためのいわゆる防爆性を有する光学的読取部を低コストで設けることができる。
【００５３】
また、第４の目測式流体計測装置の改造方法は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムを内部に収容すると共に前記ロッドが内部から外部へと貫通して突出するように設けられた気密構造の外殻ボディーとを備えて、前記ロッドの移動した位置に対応して前記流体の流量または圧力を目測する目測式流体計測装置を、光学的自動読取機能付きの流体計測装置に改造するにあたり、前記ロッドが前記外殻ボディーの内部に収まるように前記ロッドまたは前記外殻ボディーを変更し、前記ロッドの長手方向の一端に、前記ロッドの移動方向に沿って反射光の濃淡または反射強度が変化するように設定されている光反射部材を設置し、前記光反射部材に対して所定の光源光を照射させる光源光学部材を前記外殻ボディーの内部に固定的に配置し、前記光源光学部材から照射されて前記光反射部材で反射された光を受けるように、前記外殻ボディーに固定的に受光光学部材を配置して、前記光源光学部材から照射されて前記光反射部材で反射される光の濃淡または強度が前記ロッドの移動に伴った前記光反射部材の移動によって変化することで、前記受光光学部材で受ける光の濃淡または強度が変化するように設定されている光学的読取部を設ける工程と、前記受光光学部材で受けた光を導光部材を介して受光する光センサを付設する工程と、前記光センサで受光した光の濃淡または強度に対応して、前記計測対象の流体の流量値を演算する流体計測値演算部を付設する工程とを含んでいる。
【００５４】
第４の目測式流体計測装置の改造方法では、上記のようにして外殻ボディーの内部にロッドが完全に収容されるように変更し、そのロッドの先端などにロッドの移動方向に沿って反射光の濃淡または反射強度が変化するように設定されている光反射部材を追加し、光源光学部材および受光光学部材を外殻ボディーの内部に固定的に配置するという簡易な工程だけで、良好な精度で自動読み取りを行うためのいわゆる防爆性を有する光学的読取部を低コストで設けることができる。
【００５５】
さらに、第５の目測式流体計測装置の改造方法は、計測対象の流体の圧力に対応して表面に変動が生じるように設けられたダイヤフラムと、前記ダイヤフラムの表面の変動に連動して長手方向に位置的な移動を生じるように設けられたロッドと、前記ダイヤフラムおよび前記ロッドを収容する気密構造の外殻ボディーとを備えて、前記ロッドの移動した位置に対応して前記流体の流量または圧力を目測する目測式流体計測装置を、光学的自動読取機能付きの流体計測装置に改造するにあたり、所定の光源光を所定の限定された領域に照射させる光源光学部材を前記外殻ボディーの内部に固定的に配置し、前記光源光学部材から照射された前記光源光の受光量が前記ロッドの先端部の移動に伴って変化するように、受光光学部材を固定的に配置する工程と、前記受光光学部材で受けた光を導光部材を介して受光する光センサを付設する工程と、前記光センサで受光した光の量に対応して、前記計測対象の流体の流量値を演算する流体計測値演算部を付設する工程とを含んでいる。
【００５６】
第５の目測式流体計測装置の改造方法では、上記のようにして外殻ボディーの内部にロッドが完全に収容されるように変更し、ロッドの先端部の移動に伴って遮られる光源光の量が変化するように、そのロッドが移動できるような所定の間隙を隔てて受光光学部材を光源光学部材に対して固定的に対向配置して、ロッドの移動に伴って受光光学部材で受ける光の量が変化するような光学的読取部を設けるという簡易な工程だけで、良好な精度で自動読み取りを行うためのいわゆる防爆性を有する光学的読取部を、低コストで設けることができる。
【００５７】
【発明の実施の形態】
以下、本発明の実施の形態について図面を参照して詳細に説明する。
【００５８】
［第１の実施の形態］
図１は、本発明の第１の実施の形態に係る流体計測装置の概要構成を表したものである。なお、図示および説明の繁雑化を避けるために、流体計測装置の主要部の構成およびその動作とは関係性の薄い部位の詳細な説明については、以下の説明では省略してある。
【００５９】
この流体計測装置は、都市ガスの配給網の要所ごとに配設されているガバナ１ごとに付設されて、その各ガバナ１におけるガスの供給圧力値および流量値を自動的に計測するもので、光学的読取部１００と、光ケーブル２，３と、演算器（流体計測値演算部）４と、光源部５とから、その主要部が構成されている。また、詳述は省略するが、例えばガス配給網を中央で集中監視する中央集中監視センたとの間で、計測された流量値や圧力値のデータや各種の制御信号等を送受するための遠隔監視装置６０を備えている。
【００６０】
光学的読取部１００は、ガバナ１の上に設けられており、その光学的読取部１００およびガバナ１は、共に密封構造のガバナボックス６内に収容されている。光学的読取部１００で受けた光は、光ケーブル２を介して、ガバナボックス６の外部に配置された演算器４の内部に設けられている例えばＣＣＤ光センサ（図示省略）へと伝導されるように設定されている。
【００６１】
光学的読取部１００およびガバナ１の主要部は、さらに詳細には、図２に示したような構成となっている。すなわち、光学的読取部１００は、ダイヤフラム１０１と、ロッド１０２と、外殻ボディー１０３と、光反射板１０４と、光源光学部材１０５と、受光光学部材１０６とから、その主要部が構成されている。その光学的読取部１００における光学的読取部品１１０は、光反射板１０４と、光源光学部材１０５と、受光光学部材１０６とから、その主要部が構成されている。
【００６２】
ダイヤフラム１０１は、計測対象の流体であるガスの出口圧力と入口圧力との差圧に対応して変動するように設けられているものである。このダイヤフラム１０１自体は一般的なもので構わない。
【００６３】
ロッド１０２は、ダイヤフラム１０１の表面の変動に連動して長手方向に位置的な移動を生じることで上下動するように、ダイヤフラム１０１の上に設けられている。
【００６４】
光反射板１０４は、ロッド１０２の長手方向の一端（上端）に設けられて、そのロッド１０２の移動に伴って外殻ボディー１０３の内部で位置が移動（上下動）するように設定されているものである。さらに詳細には、ロッド１０２の長手方向に対して光反射面が直交するようにロッド１０２の上端に設けられている。この光反射板１０４の光反射を行う表面には、表面加工が施されて、光を適度に乱反射させることができるように、例えば擦りガラス状または梨地状に敢えて荒らされている。
【００６５】
外殻ボディー１０３は、ダイヤフラム１０１、ロッド１０２、光反射板１０４、光源光学部材１０５、受光光学部材１０６を、その内部に気密的に収容する気密構造の容器であって、その上端部分には、光学的読取部品１１０の光反射板１０４を除く主要部が固定的に配置されたプラグ部材１１１が、この外殻ボディー１０３に対して気密性を損なうことなく着脱可能に設けられている。そのプラグ部材１１１が取り外された状態での気密性は、外殻ボディー１０３の内部からその外部の受光光学部材１０６へと光を通す窓部１１２を備えた密封蓋部材１１３によって保たれるように設定されている。その密封蓋部材１１３は外殻ボディー１０３に対してシール材（図示省略）を介して嵌合されるなどして取り付けられることで、外殻ボディー１０３の内部の気密性を保つようにしている。
【００６６】
このようにして外殻ボディー１０３の気密性を損なうことなくプラグ部材１１１を着脱可能とすることで、例えばプラグ部材１１１に設けられている光源光学部材１０５や受光光学部材１０６のメンテナンスを行う際や部品交換を行う際などに、ガバナ１のガス供給を停止する必要がなく簡便に作業を行うことができるので望ましい。
【００６７】
光源光学部材１０５は、外殻ボディー１０３の内部の気密性を損なうことのないように配置されて、光反射板１０４に対して所定の光源光を照射させるように設定されている。この光源光学部材１０５としては、例えば光ファイバ束あるいはその他の種類の導光材などを好適に用いることができる。
【００６８】
受光光学部材１０６は、外殻ボディー１０３の内部の気密性を損なうことのないように配置されて、光源光学部材１０５から照射されて光反射板１０４で反射された光を受けるように設定されている。この受光光学部材１０６としては、例えば光ファイバ束あるいはその他の種類の導光材などを好適に用いることができる。
【００６９】
上記のような光学的読取部１００では、光源光学部材１０５から照射された光が受光光学部１０６へと至るまでの距離がロッド１０２の移動に伴った光反射板１０４の移動によって変化することで、受光光学部材１０６で受ける光の強度またはエネルギー密度が、光源光学部材１０５から照射された光が受光光学部へと至るまでの距離の二乗に比例して変化する。
【００７０】
光源部５は、光源光学部材１０５に対して光ケーブル（導光部材）を介して光源光を供給するものである。
【００７１】
光センサ（図示省略）は、既述したように演算器４の内部に設けられて、受光光学部材１０６で受けた光を、光ケーブル（導光部材）を介して受光するものである。
【００７２】
演算器４は、光センサで受光した光の強度またはエネルギー密度に対応して、計測対象の流体であるガスの流量値（または圧力値も可能）を演算するものである。さらに詳細には、この演算器４では、光センサで受光した光の強度またはエネルギー密度に基づいてロッド１０２の位置が算出できるが、そのロッド１０２の位置の情報と、予め実験的あるいは理論的に確認しておいた、図３に一例を示したようなガバナ１の開度流量値特性曲線の情報とに基づいて、そのときの流量値を演算することができる。あるいは、さらに直接的に、光センサで受光した光の強度またはエネルギー密度とガバナ１の開度流量値特性との相関関係の情報に基づいて、光センサで受光した光の強度またはエネルギー密度から直接的に流量値を演算することができる。また、圧力値の計測についても同様に、光センサで受光した光の強度またはエネルギー密度とガバナ１の開度圧力値特性との相関関係の情報に基づいて、光センサで受光した光の強度またはエネルギー密度から直接的に流量値を演算することなども可能である。より具体的には、例えば、光センサで受光した光の強度またはエネルギー密度と流量値との相関関係およびガバナ１の入口圧力値ならびに弁容量係数（Ｃｇ）に基づいて、より直接的に受光量から流量値を算出することも可能である。
【００７３】
実際に、このような構成の第１の実施の形態に係る流体計測装置を作製して、その装置における光センサ出力（電圧［Ｖ］）と流量計測値との関係（相関）について確認した。その結果、図４に示したように、光センサ出力と流量計測値との相関は極めて良好な線形性を示しており、この相関に基づいた演算を行うことによって、光センサの出力に精確に対応した流量計測値を算出することが可能であることが確認できた。
【００７４】
なお、密封蓋部材１１３にはガラス板などのような透明性の高い材質からなる窓部を設けるのではなく、その代りに、シャッター装置または開閉バルブ（いずれも図示省略）などを設けて、外殻ボディー１０３の内部の気密性を損なうことなくプラグ部材１１１を外殻ボディー１０３に着脱可能とすることも可能である。
【００７５】
また、外殻ボディー１０３に対して気密性を損なうことなく着脱可能なプラグ部材１１１については省略して、図５に一例を示したように、光学的読取部品１１０を密封蓋部材１１３に直接的に取り付けるようにして、構造をさらに簡易化してもよい。
【００７６】
このような第１の実施の形態に係る流体計測装置における特に光学的読取部１００は、図１４に示したような既存の一般的な目測式の流体計測装置を、簡易な工程によって、自動的に流体計測が可能な流体計測装置に改造することが可能である。
【００７７】
すなわち、まず、ロッド１０２が外殻ボディー１０３の内部に収まるように、ロッド１０２の長さを切り詰める。または、そのような長さのロッド１０２に置き換える（ロッド１０２自体を、外殻ボディー１０３の内部に収まるような長さのものに変える）。もしくは、外殻ボディー１０３を変更して、ロッド１０２が外殻ボディー１０３の内部に完全に収容されるようにしてもよい。
【００７８】
続いて、ロッド１０２の長手方向の一端に、ロッド１０２の移動に伴って外殻ボディー１０３の内部で位置が移動するように設定された光反射板１０４を接続する。
【００７９】
続いて、外殻ボディー１０３の上端の部分を、密封構造のプラグ部材１１１に取り替えることで、光反射板１０４に対して所定の光源光を照射させる光源光学部材１０５を、外殻ボディー１０３の内部に固定的に配置し、光源光学部材１０５から照射されて光反射板１０４で反射された光を受けるように、外殻ボディー１０３に対して固定的に受光光学部材１０６を配置する。
【００８０】
続いて、受光光学部材１０６で受けた光を導光部材を介して受光する光センサを付設する。そして、光センサで受光した光の強度またはエネルギー密度に対応して、計測対象の流体であるガスの流量値を演算する流体計測値演算部を付設する。
【００８１】
このようにして、光源光学部材１０５から照射された光が受光光学部へと至るまでの距離がロッド１０２の移動に伴った光反射板１０４の移動によって変化することで受光光学部材１０６で受ける光の強度またはエネルギー密度が変化するように設定されている光学的読取部１００を備えた流体計測装置を、一般的な目測式の流体計測装置に対して簡易な改造を施すだけで、簡便に低コストで実現することができる。
【００８２】
［第２の実施の形態］
図６は、本発明の第２の実施の形態に係る流体計測装置における光学的読取部１００を中心とした概要構成を表したものである。なお、この第２の実施の形態の説明では、第１の実施の形態に係る流体計測装置と同様の部位については、第１の実施の形態と同一の部位（構成要素）の名称および符号を付すものとし、また特にそのような同一の部位の説明については省略または簡潔化して述べるものとする。
【００８３】
この第２の実施の形態に係る流体計測装置は、都市ガスの配給網の要所ごとに配設されているガバナ１ごとに付設されて、その各ガバナ１におけるガスの供給圧力値および流量値を自動的に計測するもので、光学的読取部１００と、光ケーブルと、演算器４（流体計測値演算部）とから、その主要部が構成されている。光学的読取部１００はガバナ１の上に設けられており、その光学的読取部１００およびガバナ１は、共に密封構造のガバナボックス６内に収容されている。光学的読取部１００で受けた光は、光ケーブルを介して、ガバナボックス６の外部に配置された演算器４の内部に設けられている光センサへと伝導されるように設定されている。
【００８４】
このような概略構成の観点では、図１に示したような第１の実施の形態に係る流体計測装置と同様のものであるが、この第２の実施の形態に係る流体計測装置では、光反射板１０４の代りに、ロッド１０２の移動方向に沿って反射光の色相または波長が変化するような色相のグラデーション２０５が表面に印刷形成された光反射部材２０４を備えている。そしてその光反射部材２０４の表面で反射した光の色相または波長に基づいて、そのときのガスの供給流量や供給圧力の計測値を算出するように設定されていることを特徴としている。
【００８５】
さらに詳細には、光学的読取部１００は、ダイヤフラム１０１と、ロッド１０２と、外殻ボディー１０３と、光反射部材２０４と、光源光学部材１０５と、受光光学部材１０６とから、その主要部が構成されている。その光学的読取部１００における光学的読取部品１１０は、光反射部材２０４と、光源光学部材１０５と、受光光学部材１０６とから、その主要部が構成されている。
【００８６】
光反射部材２０４は、ロッド１０２の移動方向に沿って反射光の色相または波長が変化するような色相グラデーション２０５が表面に印刷形成されたもので、ロッド１０２の移動に伴って外殻ボディー１０３の内部で位置が移動するようにロッド１０２の長手方向の上端から、色相グラデーション２０５の色相変化の方向がロッド１０２の移動方向に平行に沿うように貼設されたものである。
【００８７】
この光反射部材２０４の表面の色相グラデーション２０５は、例えば耐候性または耐メタン系可燃ガス性の着色塗料またはカラーインキなどを、シート状または薄板状のベース材料の表面に印刷することによって形成することができる。このように色相グラデーション２０５を印刷形成することで、極めて多量の光反射部材２０４を、簡易な製造方法によって、統一された品質で、かつ短時間で低コストに、作製することができる。延いては、そのような光反射部材２０４を用いて例えば４０００か所にも亘る地区ガバナの自動読取化を行うに際して、それら全ての地区ガバナについて、短時間で低コストに統一された良好な計測精度が得られるような光学的読取部品１１０を提供することが可能となる。
【００８８】
上記のような光学的読取部１００では、固定的に配置された光源光学部材１０５から例えば所定の光軸方向に向かって所定のピンスポット径で照射された光は、光反射部材２０４の表面の色相グラデーション２０５の一部分に当って反射されて、受光光学部材１０６で受光される。このとき、光源光学部材１０５から例えば集光レンズ系を介して出射された光源光のピンスポットの固定的な照射位置に対して、光反射部材２０４の表面の色相グラデーション２０５がロッド１０２の移動に伴って相対的に移動するのであるから、その光反射部材２０４の表面の色相グラデーション２０５で反射されて受光光学部材１０６で受光される光の色相または波長は、ロッド１０２の移動に伴った光反射部材２０４の移動によって変化する。
【００８９】
そして演算器４では、光センサで受光した光の色相または波長に対応して、計測対象の流体であるガスの流量値（または、ダイヤフラムが圧力値の変動に対して所定の相関関係で対応して変動する場合には、圧力値も可能）を演算する。さらに詳細には、この演算器４では、光センサで受光した光の色相または波長に基づいてロッド１０２の位置が算出できるが、そのロッド１０２の位置の情報と、予め実験的あるいは理論的に確認しておいた、ガバナ１の開度流量値特性曲線の情報とに基づいて、そのときの流量値を演算することができる。あるいは、さらに直接的に、光センサで受光した光の色相または波長とガバナ１の開度流量値特性との相関関係の情報に基づいて、光センサで受光した光の色相または波長から直接的に流量値を演算することができる。また、圧力値の計測についても同様に、光センサで受光した光の色相または波長とガバナ１の開度圧力値特性との相関関係の情報に基づいて、光センサで受光した光の色相または波長から直接的に流量値を演算することなども可能である。
【００９０】
このような第２の実施の形態に係る流体計測装置における特に光学的読取部１００は、図１４に示したような既存の一般的な目測式の流体計測装置を、簡易な工程で低コストな工程によって自動的に流体計測が可能な流体計測装置に改造することが可能である。
【００９１】
すなわち、まず、ロッド１０２が外殻ボディー１０３の内部に収まるように、ロッド１０２の長さを切り詰める。または、そのような長さのロッド１０２に置き換える（ロッド１０２自体をロッド１０２が外殻ボディー１０３の内部に収まるような長さのものに変える）。もしくは、外殻ボディー１０３を変更して、ロッド１０２が外殻ボディー１０３の内部に完全に収容されるようにしてもよい。
【００９２】
続いて、ロッド１０２の長手方向の一端に、ロッド１０２の移動に伴って外殻ボディー１０３の内部で位置が移動することで、ロッド１０２の移動方向に沿って色相グラデーション２０５が変化するように、光反射部材２０４を貼設する。
【００９３】
続いて、外殻ボディー１０３の上端の部分を、密封構造のプラグ部材１１１に取り替えることで、光反射部材２０４に対して所定の光源光を照射させる光源光学部材１０５を、外殻ボディー１０３の内部に固定的に配置し、光源光学部材１０５から照射されて光反射部材２０４で反射された光を受けるように、外殻ボディー１０３に対して固定的に受光光学部材１０６を配置する。
【００９４】
続いて、受光光学部材１０６で受けた光を導光部材を介して受光する光センサを付設する。そして、光センサで受光した光の強度またはエネルギー密度に対応して、計測対象の流体であるガスの流量値を演算する流体計測値演算部を付設する。
【００９５】
このようにして、ロッド１０２の移動に伴って受光光学部材１０６で受ける光の色相または波長が変化するように設定されている光学的読取部１００を備えた流体計測装置を、一般的な目測式の流体計測装置に対して簡易な改造を施すだけで、簡便に低コストで実現することができる。また、その改造に用いられる光反射部材２０４についても、色相グラデーション２０５を印刷形成することで、多量の地区ガバナに対して改造を施すことができるほど大量に、簡易な製造方法によって短時間で低コストに、しかも統一された品質で、製造することが可能である。また、光反射部材２０４はロッド１０２の上端部の表面に貼設するだけでよいので、改造の手間を極めて簡易なものとすることに大きく貢献している。
【００９６】
［第３の実施の形態］
図７は、本発明の第３の実施の形態に係る流体計測装置における光学的読取部１００を中心とした概要構成を表したものである。なお、この第３の実施の形態の説明では、第１の実施の形態に係る流体計測装置と同様の部位については、第１の実施の形態と同一の部位（構成要素）の名称および符号を付すものとし、また特にそのような同一の部位の説明については、第１または第２の実施の形態における詳細な説明との重複を避けるために省略または簡潔化して述べるものとする。
【００９７】
この第３の実施の形態に係る流体計測装置では、光学的読取部１００が、光反射板１０４や光反射部材２０４の代りに、ロッド１０２の移動方向に沿って透過光の色相または波長が変化するように設定されている光透過部材３０４が、ロッド１０２の移動に伴って外殻ボディー１０３の内部で位置が移動するようにロッド１０２に付設されている。そしてその光透過部材３０４を透過した光の色相または波長に基づいて、そのときのガスの供給流量や供給圧力の計測値を算出するように設定されていることを特徴としている。
【００９８】
さらに具体的には、上記の光透過部材３０４は、光源光学部材１０５から照射されてこの光透過部材３０４を通って受光光学部材１０６へと入射される透過光の色相または波長がロッド１０２の移動に伴って変化するように、ロッド１０２の上端に付設されたプリズムである。
【００９９】
上記のような光学的読取部１００では、固定的に配置された光源光学部材１０５から例えば所定の光軸方向に向かって所定のピンスポット径で照射された光は、光透過部材３０４を透過して、受光光学部材１０６で受光される。このとき、光源光学部材１０５から出射された光源光のピンスポットの固定的な照射位置に対して、光透過部材３０４がロッド１０２の移動に伴って相対的に移動するので、その光透過部材３０４を通って受光光学部材１０６で受光される光の色相または波長は、ロッド１０２の移動に伴った光透過部材３０４のプリズムの移動によって変化する。
【０１００】
そして演算器４では、第２の実施の形態とほぼ同様に、光センサで受光した光の色相または波長に対応して、計測対象の流体であるガスの流量値（または圧力値も可能）を演算する。この演算器４では、光センサで受光した光の色相または波長に基づいてロッド１０２の位置が算出できるが、そのロッド１０２の位置の情報と、予め実験的あるいは理論的に確認しておいた、ガバナ１の開度流量値特性曲線の情報とに基づいて、そのときの流量値を演算することができる。あるいは、さらに直接的に、光センサで受光した光の色相または波長とガバナ１の開度流量値特性との相関関係の情報に基づいて、光センサで受光した光の色相または波長から直接的に流量値を演算することができる。また、圧力値の計測についても同様に、光センサで受光した光の色相または波長とガバナ１の開度圧力値特性との相関関係の情報に基づいて、光センサで受光した光の色相または波長から直接的に流量値を演算することなども可能である。
【０１０１】
このような第３の実施の形態に係る流体計測装置は、ロッド１０２の移動に伴って受光光学部材１０６で受ける光の色相または波長が変化するように設定されている光学的読取部１００を備えた流体計測装置を、一般的な目測式の流体計測装置に対して簡易な改造を施すだけで、簡便に低コストで実現することができる。
【０１０２】
なお、光透過部材３０４としては、プリズムのみには限定されないことは言うまでもない。その他にも、例えば図８に一例を示したように、光源光学部材１０５から照射されて受光光学部材１０６へと入射される光の色相または波長がロッド１０２の移動に伴って変化するように、例えば光の回折を生じさせる格子の幅が長手方向で段階的に変化するように形成された回折格子３０５などをロッド１０２に付設して用いることなども可能である。
【０１０３】
［第４の実施の形態］
図９は、本発明の第４の実施の形態に係る流体計測装置における光学的読取部１００を中心とした概要構成を表したものである。なお、この第４の実施の形態の説明では、第１の実施の形態に係る流体計測装置と同様の部位については、第１の実施の形態と同一の部位（構成要素）の名称および符号を付すものとし、また特にそのような同一の部位の説明については、第１または第２もしくは第３の実施の形態における詳細な説明との重複を避けるために、省略または簡潔化して述べるものとする。
【０１０４】
この第４の実施の形態に係る流体計測装置では、光反射板１０４の代りに、ロッド１０２の移動方向に沿って反射光の濃淡または反射強度が変化するような濃淡のグラデーション４０５が表面に印刷形成された光反射部材４０４を備えている。そしてその光反射部材４０４の表面で反射した光の濃淡または強度に基づいて、そのときのガスの供給流量や供給圧力の計測値を算出するように設定されていることを特徴としている。
【０１０５】
さらに詳細には、光学的読取部１００は、ダイヤフラム１０１と、ロッド１０２と、外殻ボディー１０３と、光反射部材４０４と、光源光学部材１０５と、受光光学部材１０６とから、その主要部が構成されている。その光学的読取部１００における光学的読取部品１１０は、光反射部材４０４と、光源光学部材１０５と、受光光学部材１０６とから、その主要部が構成されている。
【０１０６】
光反射部材４０４は、ロッド１０２の移動方向に沿って反射光の濃淡（あるいは彩度）または反射強度が変化するような濃淡グラデーション４０５が表面に印刷形成されたもので、ロッド１０２の移動に伴って外殻ボディー１０３の内部で位置が移動するようにロッド１０２の長手方向の上端から、濃淡グラデーション４０５の濃淡変化の方向がロッド１０２の移動方向に平行に沿うように貼設されたものである。
【０１０７】
この光反射部材４０４の表面の濃淡グラデーション４０５は、例えば耐候性または耐メタン系可燃ガス性の塗料または墨色のインキなどを用いて、シート状または薄板状のベース材料の表面に塗料またはインキの網点または印刷密度がグラデーション的な分布となるように印刷することによって形成することができる。このように濃淡グラデーション４０５を印刷形成することで、極めて多量の光反射部材４０４を、簡易な製造方法によって、統一された品質で、かつ短時間で低コストに、作製することができる。延いては、そのような光反射部材４０４を用いて例えば４０００か所にも亘るような多量な地区ガバナの自動読取化を行うに際して、それら全ての地区ガバナについて、短時間で低コストに統一された良好な計測精度が得られるような光学的読取部品１１０を提供することが可能となる。
【０１０８】
上記のような光学的読取部１００では、固定的に配置された光源光学部材１０５から例えば所定の光軸方向に向かって所定のピンスポット径で照射された光は、光反射部材４０４の表面の濃淡グラデーション４０５の一部分に当って反射されて、受光光学部材１０６で受光される。このとき、光源光学部材１０５から出射された光源光のピンスポットの固定的な照射位置に対して、光反射部材４０４の表面の濃淡グラデーション４０５がロッド１０２の移動に伴って相対的に移動するのであるから、その濃淡グラデーション４０５の光反射部材４０４の表面で反射されて受光光学部材１０６で受光される光の濃淡（彩度）または反射強度は、ロッド１０２の移動に伴った光反射部材４０４の移動によって変化する。
【０１０９】
そして演算器４では、光センサで受光した光の濃淡または反射強度に対応して、計測対象の流体であるガスの流量値（または圧力値も可能）を演算する。さらに詳細には、この演算器４では、光センサで受光した光の濃淡の度合いまたは反射強度に基づいてロッド１０２の位置が算出できるが、そのロッド１０２の位置の情報と、予め実験的あるいは理論的に確認しておいた、ガバナ１の開度流量値特性曲線の情報とに基づいて、そのときの流量値を演算することができる。あるいは、さらに直接的に、光センサで受光した光の濃淡の度合いまたは反射強度とガバナ１の開度流量値特性との相関関係の情報に基づいて、光センサで受光した光から直接的に流量値を演算することができる。また、圧力値の計測についても同様に、光センサで受光した光の濃淡の度合いまたは反射強度とガバナ１の開度圧力値特性との相関関係の情報に基づいて、光センサで受光した光から直接的に流量値を演算することなども可能である。
【０１１０】
このような第４の実施の形態に係る流体計測装置における特に光学的読取部１００は、第２の実施の形態に係る流体計測装置の場合とほぼ同様に、図１４に示したような既存の一般的な目測式の流体計測装置を、簡易で低コストな工程によって、自動的な流体計測が可能な流体計測装置へと、改造することが可能である。
【０１１１】
［第５の実施の形態］
図１０は、本発明の第５の実施の形態に係る流体計測装置における光学的読取部１００を中心とした概要構成を表したものである。なお、この第５の実施の形態の説明では、第１の実施の形態に係る流体計測装置と同様の部位については、第１の実施の形態と同一の部位（構成要素）の名称および符号を付すものとし、また特にそのような同一の部位の説明については、第１〜第４の実施の形態における詳細な説明との重複を避けるために、省略または簡潔化して述べるものとする。
【０１１２】
第５の実施の形態では、図１４に示したような従来の目測式の流体計測装置に対して極めて簡易な付加的改造を施すことで、自動的な流体計測を行うことができる流体計測装置およびその改造方法について説明する。
【０１１３】
まず、図１４に示したような従来の構造の目測式の流体計測装置における、いわゆるトラベルインジケータ５０１の前面にネジ止めされている板体状の目盛板５０２を取り外す。図１１の断面図に示したように、ロッド１０２の表面には光吸収板５０３を貼設し、そのロッド１０２の背景となるガラス管５０４の内面側（外面側でもよいが、内面側の方がより望ましい）には、光反射板５０５を貼設する。そして、図１０，図１１，図１２に示したようなパラボラ状の反射板５０６を備えた光源光学部材１０５とパラボラ状の反射板５０７を備えた受光光学部材１０６とを、それら２つのパラボラ状の反射板５０６，５０７の光軸が互いにガラス管５０４の円形断面の中心点で交わるように、ガラス管５０４の表面のうち金属製のケーシング５０８から露出している目測用の窓部の部分に付設する。
【０１１４】
このような簡易な改造を施すだけで、流量値や圧力値などの流体計測を自動的に行うためにロッド１０２の位置を光学的に検出する光学的読取部１００を、従来の目測式の流体計測装置に付設することができる。
【０１１５】
このような第５の実施の形態に係る流体計測装置における、特に光学的読取部１００の動作について説明する。
【０１１６】
図１２に模式的に示したように、ロッド１０２は光源光学部材１０５のパラボラ状の反射板５０６と受光光学部材１０６のパラボラ状の反射板５０７との間に介挿されている。従って、そのロッド１０２が上下方向に移動することに伴ってロッド１０２で光の通過が妨げられる領域の面積が変化するので、光源光学部材１０５から出射されて受光光学部材１０６で受光される光の受光量は、ロッド１０２の上下方向の移動に対応して変化する。このようなロッド１０２の上下方向の移動に対応して変化する受光量に基づいて、ロッド１０２の位置を検出することができ、延いてはそれに基づいてそのときの流量値を演算器４によって算出することができる。あるいは、ロッド１０２の上下方向の移動に対応して変化する受光量と流量値との相関関係およびガバナ１の入口圧力値ならびに弁容量係数（Ｃｇ）に基づいて、より直接的に受光量から流量値を算出することも可能である。
【０１１７】
なお、光源光学部材１０５および受光光学部材１０６は、パラボラ状の反射板５０６，５０７を用いた形態の他にも、例えば、光ファイバ束（図示省略）をロッド１０２の移動方向に沿って列設するといった形態を採用することによっても、ロッド１０２の移動方向に沿った窓部のほぼ全長に亘って光照射または受光の領域を形成できるようにすることが可能である。
【０１１８】
また、上記のようにパラボラ状の反射板５０６を備えた光源光学部材１０５とパラボラ状の反射板５０７を備えた受光光学部材１０６とをトラベルインジケータ５０１のガラス管５０４の表面に着設すること以外にも、図１３に一例を示したように、それまで用いられていたトラベルインジケータ５０１とは別に、ケーシング５０８およびガラス管５０４の全体を一纏まりの部品として作製しておき、それを既存の目測用のトラベルインジケータ５０１の代りに新たに装着するようにしてもよい。より具体的には、パラボラ状の反射板５０６を備えた光源光学部材１０５とパラボラ状の反射板５０７を備えた受光光学部材１０６とを、予めガラス管５０４の表面に着設してなるプラグ部品５１１を作製しておき、それまで用いられていたトラベルインジケータ５０１をプラグ部品５１１に交換するようにしてもよい。
【０１１９】
その他、上記の各実施の形態で説明した態様を組み合わせることなどのような種々のバリエーションが可能であることは言うまでもない。
【０１２０】
【発明の効果】
以上説明したように、本発明の流体計測装置または光学的読取部品によれば、簡易で低コストな構成でありながら、良好な計測精度でガスなどの流体の流量値や圧力値の計測が可能であり、気密性を損なう虞がなく、かつガバナに付設される装置として要求される防爆性を満たすことができる光学的読取部品を備えた流体計測装置を実現することができる。
【図面の簡単な説明】
【図１】本発明の第１の実施の形態に係る流体計測装置の概要構成を表した図である。
【図２】光学的読取部およびガバナの主要部の構成を表した図である。
【図３】ガバナの開度流量値特性曲線の情報の一例を表した図である。
【図４】第１の実施の形態に係る流体計測装置を作製して、その装置における光センサ出力電圧と流量計測値との相関関係について確認した、実験結果を表した図である。
【図５】光学的読取部品を密封蓋部材に直接的に取り付けるようにした場合の構造の一例を表した図である。
【図６】本発明の第２の実施の形態に係る流体計測装置における光学的読取部を中心とした概要構成を表した図である。
【図７】本発明の第３の実施の形態に係る流体計測装置における光学的読取部１００を中心とした概要構成を表した図である。
【図８】光透過部材として回折格子を用いた場合の構造の一例を表した図である。
【図９】本発明の第４の実施の形態に係る流体計測装置における光学的読取部を中心とした概要構成を表した図である。
【図１０】本発明の第５の実施の形態に係る流体計測装置における光学的読取部を中心とした概要構成を表した図である。
【図１１】図１０に示した光学的読取部の概要構成を表した断面図である。
【図１２】第５の実施の形態に係る流体計測装置における特に光学的読取部での動作を模式的に表した図である。
【図１３】従来のトラベルインジケータを光学的自動読取用のプラグ部品に交換する改造方法の一例を模式的に表した図である。
【図１４】従来の構造の目測式の流体計測装置の概要構成を表した図である。
【図１５】スリットが設けられた開度計を備えた流体計測装置の概要構成を表した図である。
【符号の説明】
１…ガバナ、２，３…光ケーブル、４…演算器、５…光源部、６…ガバナボックス、６０…遠隔監視装置、１００…光学的読取部、１０１…ダイヤフラム、１０２…ロッド、１０３…外殻ボディー、１０４…光反射板、１０５…光源光学部材、１０６…受光光学部材、１１１…プラグ部材、１１３…密封蓋部材、２０４…光反射部材、３０４…光透過部材、４０４…光反射部材
【図１】
2004354065.tif 000003
【図２】
2004354065.tif 000004
【図３】
2004354065.tif 000005
【図４】
2004354065.tif 000006
【図５】
2004354065.tif 000007
【図６】
2004354065.tif 000008
【図７】
2004354065.tif 000009
【図８】
2004354065.tif 000010
【図９】
2004354065.tif 000011
【図１０】
2004354065.tif 000012
【図１１】
2004354065.tif 000013
【図１２】
2004354065.tif 000014
【図１３】
2004354065.tif 000015
【図１４】
2004354065.tif 000016
【図１５】
2004354065.tif 000017